(57)【要約】【課題】本発明は遊技店に於ける、パチンコ台入れ替え時の配線作業を簡略化する、パチンコ台情報出力配線の簡単配線接続機である。【解決手段】パチンコ台から出力される情報出力配線を、接続用部材及びその工具を使用せずに、スクリューレス端子台に挿入させる事のみで配線接続が出来、且つ電気信号切り替えスイッチもしくはフォトカプラ付き電気信号変換スイッチを備えた、パチンコ台情報出力配線の簡単配線接続機。【選択図】　図１
2004008737.tif 000002
【特許請求の範囲】
【請求項１】
パチンコ台から出力される情報出力配線を、接続用部材及びその工具を使用せずに、スクリューレス端子台（３）に挿入接続させる事のみで、コンピュータ端末機に接続させ、且つ情報出力電気信号に対応する、電気信号切り替えスイッチ（４）を備えた事を特徴とする、パチンコ台情報出力配線の配線接続機。
【請求項２】
スクリューレス端子台（３）及び情報出力電気信号に対応する、フォトカプラ付き電気信号変換切り替えスイッチ（９）を備えた事を特徴とする、パチンコ台情報出力配線の配線接続機。
【発明の詳細な説明】
【０００１】
【発明の属する技術分野】
本発明は、遊技店に於けるパチンコ台の入れ替えに伴う台配線作業を、スクリューレス端子台に電気信号切り替えスイッチ及び電気信号変換スイッチを備えた、配線接続方法に関するものである。
【０００２】
【従来の技術】
遊技店に於いては、店内に設置された遊技台から種々の情報を各遊技台に接続されたコンピュータ配線によってコンピュータに集約し、情報の一元管理をしている。コンピュータから各遊技台設置個所近辺迄には、恒久的なコンピュータ配線が施設されており、各遊技台用のコンピュータ端末機が設置されている。遊技台からの情報はコンピュータ端末機を経由するものと、コンピュータ端末機を経由しないものとがあるが、どちらもコンピュータ配線を経由してコンピュータに集められる。
【０００３】
コンピュータへは情報の全てが接点信号で流れているが、遊技台によっては電圧で情報を出力しているものがある。電圧で出力される情報は、何らかの方法で接点信号に変換させなければならないが、コンピュータ端末機がその役目を担っている。コンピュータ端末機を経由しない情報は、基本的には接点信号で出力されるものがほとんどであるが、近年、電圧で出力される情報が出始めた。それらはフォトカプラもしくはリレーによって、電圧を接点に変換させ、コンピュータ配線へ出力されなければならない。
【０００４】
遊技店は客の嗜好に合わせ、遊技台数の多少はあるものの、度々既設遊技台と新規遊技台の入れ替えをおこなったり、収益性向上のため店内に於ける遊技台の移動をしている。遊技店の遊技台はスロットル台とパチンコ台とがあり、スロットル台の情報配線はスロットル台販売会社の専従員が配線をするが、パチンコ台は遊技店側で配線を接続させねばならない。パチンコ台はパチンコ台製造会社もしくはパチンコ台の種類によって、出力される電気信号の種類が変わり、新規パチンコ台の設置や店内移動され再設置されたパチンコ台は、その都度端末機配線の再接続をし、コンピュータ端末機の設定を変更し直さなければならない。
【０００５】
ここで遊技台から出力される信号の主なものについて述べる。遊技台からは、玉に関する情報とゲームに関する情報が出力される。玉に関する主な情報は、出玉もしくは賞球（客へ玉が出た数）、入り玉（客から店へ玉が入った数）、補給（遊技台に玉を補給させる信号）、玉切れ（台裏側の玉をプールする受け皿内の信号）等があり、大部分が簡単な端末機器が遊技台及びその周辺に装着され情報がコンピュータへ送られているが、一部分の信号は遊技台が入れ替えられるたびに配線の接続が必要となっている。ゲームに関する情報としては、入賞・特賞・確率変動もしくは時短等があり、その他にも何種類かの情報が出力されているが、ゲームに関する情報は店が必要とされる全ての情報が遊技台の入れ替え毎に配線の再接続が必要となっている。
【０００６】
各遊技台設置個所近辺に設置されたコンピュータ端末機は、配線によって各遊技台と接続され、遊技台からの情報をコンピュータへ送り込んでいる。しかし、コンピュータ端末機はコンピュータ製造会社により、さまざまな入力方法があり、統一されていない。顕著な違いは端末機への入力電気信号の変換方法である。遊技台から出力される電気信号は、電圧と接点の２種類があるが、それらをコンピュータ端末機のスイッチで変更するものと、コンピュータ端末機に設けられた電圧・接点２種類の配線どちらかに接続する方法とがある。
【０００７】
コンピュータ端末機を経由しない情報は、台から直接コンピュータ配線に接続されるが、コンピュータは接点信号で入力される為、電圧で出力される遊技台は電気信号をフォトカプラもしくはリレーによって電圧を接点に変換させなければならない。
【０００８】
遊技店がパチンコ台の情報を取り込む為、情報出力基板に差し込まれている出力信号配線とコンピュータ端末機をむすぶ配線を接続するにあたって、配線を剥き、それをより合わせ、閉端接続子やビニールテープ等の配線接続用部材及びその工具を使用する事によって接続している為、遊技店に於けるパチンコ台入れ替え時の配線接続作業が煩雑になっている。又、パチンコ台の製造会社によって違う出力信号の電気的違いも、作業の煩雑さに拍車をかけている。
【０００９】
【発明が解決しようとする課題】
従来の接続方法では、新台入れ替えや台移動の度に、接続用部材やその専用工具が必要となり、パチンコ店の時間的・経済的な負担が多くなっている。又、パチンコ台の情報出力信号の電気種類が変わると端末機の入力信号配線の変更や端末機の電気信号切り替えをするなど、作業が煩雑になっている。
本接続機は上記の課題を解決する方法を提案する物である。
【００１０】
【課題を決するための手段】
パチンコ台からの情報出力信号配線を、配線接続用部材及びその工具を使用せず、スクリューレス端子台に挿入するだけで配線の接続が終了し、出力される電気信号が変わっても電気信号切り替えスイッチを切り替える事で、又コンピュータ端末機を経由しない信号の場合は、フォトカプラ内蔵電気信号変換スイッチを経由する事で、パチンコ台配線接続の問題点を解決している。
【００１１】
【発明の実施の形態】
パチンコ台からの情報出力配線をスクリューレス端子台に挿入し、電気信号切り替えスイッチを切り替えることにより、従来の配線接続作業と同様、パチンコ台からコンピュータ端末機、及びパチンコ台からコンピュータ配線への配線接続が出来るものである。
【００１２】
【実施例】
以下添付図面に従って実施例を説明する。
図１は全体の平面図であり、１はパチンコ台である。裏面にあるゲーム情報出力基板２には、パチンコ台に対応するコネクタ付き配線２ａが挿入され、スクリューレス端子台３の台側配線挿入口３ａに２ａ一端の外皮を剥いた配線を、配線着脱ピン３ｂの押し込みによって配線穴が解放された所へ挿入、配線着脱ピンの押し込みを解放する事によって配線が固定される。スクリューレス端子台コンピュータ側配線挿入口３ｃにコンピュータ側配線が接続されており、配線が偶発的に抜けないようスクリューレス端子台の配線着脱ピン３ｄを削り取り固定している。スクリューレス端子台コンピュータ側配線挿入口３ｃには統一性のあるゲーム情報配線の挿入が施されている。
【００１３】
スクリューレス端子台からのゲーム情報配線３ｇが接続されている電気信号切り替えスイッチ４の切り替えによって分岐された、電気信号別ゲーム情報配線４ａは電圧と接点の２系統になり、各種コンピュータ端末機に対応した形状のコネクタ５がつけられ、電圧と接点の２種類の配線がコンピュータ端末機６に接続されている。
【００１４】
パチンコ台１の裏面にある玉情報出力基板７に接続される玉情報配線７ａは、コンピュータ端末機６を経由しない信号配線で、玉情報配線７ａの一端の外皮を剥き、スクリューレス端子台８の台側挿入口８ａに挿入する。配線着脱ピン８ｂの押し込みによって配線穴が解放された所へ挿入された配線は、配線着脱ピンの押し込みを解放する事によって固定される。スクリューレス端子台コンピュータ側配線挿入口８ｃには、コンピュータ側配線が挿入されており、配線が偶発的に抜けないようスクリューレス端子台の配線着脱ピン８ｄを削り取り、配線を固定している。
【００１５】
玉情報配線７ｇが接続されるフォトカプラを内蔵した電気信号変換スイッチ９は、スイッチを切り替える事により、パチンコ台の電圧出力を接点信号に変換し、パチンコ台の接点出力はそのまま電気的変換変換をさせずにコンピュータ配線１０へ出力する事が出来、コンピュータ本体１１に接続されている。
【００１６】
【発明の効果】
上述のように、本考案のパチンコ台情報出力配線の簡単接続機は、台から出力される情報配線を、コンピュータ配線と接続する上で、スクリューレス端子台を使用することにより、配線接続用部材及びその工具を使用せず、パチンコ台の電気信号種類が変わっても電気信号切り替えスイッチやフォトカプラ内蔵電気信号変換スイッチの切り替えで、簡単に且つ短時間で完了させられる事が出来る。
【図面の簡単な説明】
【図１】本発明の全体の実施例を示す平面図である。
【図２】本発明請求項１の実施例を示す立体図面である。
【図３】本発明請求項２の実施例を示す立体面図である。
【符号の説明】
１　　パチンコ台
２　　パチンコ台ゲーム情報出力基板
２ａ　ゲーム情報出力配線
３　　スクリューレス端子台
３ａ　台側配線挿入口
３ｂ　台側配線脱着ピン
３ｃ　コンピュータ側配線挿入口
３ｄ　コンピュータ側配線脱着ピン
３ｅ　ゲーム情報配線
４　　電気信号切り替えスイッチ
４ａ　電気信号別ゲーム情報配線
５　　コンピュータ端末機ゲーム情報入力配線対応コネクタ
６　　コンピュータ端末機
７　　パチンコ台玉情報出力基板
７ａ　玉情報出力配線
８　　スクリューレス端子台
８ａ　台側配線挿入口
８ｂ　台側配線脱着ピン
８ｃ　コンピュータ側配線挿入口
８ｄ　コンピュータ側配線脱着ピン
８ｅ　玉情報配線
９　　フォトカプラ内蔵電気信号変換スイッチ
１０　コンピュータ配線
１１　コンピュータ本体
【図１】
2004008737.tif 000003
【図２】
2004008737.tif 000004
【図３】
2004008737.tif 000005